Podtech/llm-jp-corpus-v4-ja_patent huggingface dataset:
(57)【要約】      （修正有）【課題】簡素な方法で書き易く読み易い、書き方もていねいになる罫線を持つ葉書を提供する。【解決手段】宛名書きの住所、氏名に合せて罫線２を引くと共に罫線をパステルカラーとする。【選択図】図３
2019107871.tif 000002
【特許請求の範囲】
【請求項１】
葉書に明度７以上の実線又は点抽線からなる罫線を引くことを特徴とする葉書。
【請求項２】
前記罫線がパステルカラーの復数の平行線である請求項１に記載の葉書。
【請求項３】
宛名書きの住所、氏名に合せて、罫線を引く請求項１又は請求項２に記載の葉書。
【発明の詳細な説明】
【技術分野】
【０００１】本発明は罫線を揃えた葉書に関する。
【背景技術】
【０００２】書き損じを気にすることなく気楽に書き出すことができ、しかも官製葉書を味わい深い絵葉書状のものに簡単につくり変えることができる簡易便箋が開示されている（特許文献１）
ここで罫線は印刷ないし白抜きとしている。
【先行技術文献】
【特許文献】
【０００３】
【特許文献１】特開７−１５６５７９
【特許文献２】
【発明の概要】
【発明が解決しようとする課題】
【０００４】今迄より簡素な方法で書き易く読み易い、書き方もていねいになる罫線が求められる葉書。
【課題を解決するための手段】
【０００５】本発明は（ｂ）宛名書きの住所、氏名に合せて罫線を引くことである。
加えて本発明（ａ）パステルカラーの罫線を引くことである。
請求項１又請求項２に記載のことが好ましい。
【発明の効果】
【０００６】初心者が葉書を書く時に、実線の罫線及び点抽線により
2019107871.tif 000003
【図面の簡単な説明】
【０００７】
【図１】葉書の裏側の実線の罫線及び点描線
【図２】葉書の裏側の実線の罫線及び点描線
【図３】葉書の裏側の実線の罫線及び点描線
【発明を実施するための形態】
【０００８】明度とは色の明暗を表す数値で黒０白１０で表すこの数値を増減することで色の明度を調節し数値が大きい程明るい色を表現する。色相、彩度ともＨ、Ｓ、Ｂまたは三要素と呼ばれる。
葉書に明度７以上のブルーの実線の罫線又は点描線を引
2019107871.tif 000004
（パステルカラーとは原色ではなく淡い中間色を意味する）
【実施例】
【０００９】図１は縦の実線の罫線を平行に３本線を引いた葉書の例である。
明度は７とし、グレーである。見易く、書き易いものである。
図１ｂは縦の点描線の罫線を平行に３本引いた葉書の例である。
色の明度８、藤色にした。
図２は横の実線の罫線を平行に４本引いた葉書の例である。
明度は７とし、グレーである。見易く、書き易いものである。
図２ｂは横の点描線の罫線を平行に４本引いた葉書の例である。
色の明度は８、藤色にした。
図３は表側の宛名書きの実線の罫線を並列に５本線を引いた葉書の例である。明度は７とし、グレーである。見易く、書き易いものである。
図３ｂは並列の点描線の罫線を５本引いた葉書の例である。
色の明度は８、藤色にした。
【産業上の利用の可能性】
【００１０】本発明は市場にはない葉書でグレーやパステルカラーの実線や
2019107871.tif 000005
葉書。
【符号の説明】
【００１１】１  「葉書の裏側」
２  「淡い色の罫線」
３  「葉書の表側」
【図１】
2019107871.tif 000006
【図２】
2019107871.tif 000007
【図３】
2019107871.tif 000008
(57)【要約】【課題】  単語を記憶するとき、記憶しやすいように、ヒント記入欄を設けたヒント欄つき単語カード・単語帳を提供する。【解決手段】  裏面に記載されている解答を思い出しやすくするために、ヒント記入欄（２）（および（５））を設け、記憶の定着を確認するために、切り取り線（３）（および（６））を設けたヒント欄つき単語カード・単語帳を特徴とする。【選択図】図１
2019107869.tif 000002
【特許請求の範囲】
【請求項１】
切り取り可能なヒント記入欄を有し、そのヒントを元に効率良く記憶することができる単語カード。
【請求項２】
切り取り可能なヒント記入欄を有し、そのヒントを元に効率良く記憶することができる単語帳。
【発明の詳細な説明】
【技術分野】
【０００１】  この発明は、単語カードおよび単語帳に切り離しが可能なヒント記入欄を設け、効率良く単語の記憶ができるようにしたヒント記入欄つき単語カード・単語帳に関するものである。
【背景技術】
【０００２】  従来、単語カードにはヒントを記入する専用の欄がなかった。単語帳の中にはヒントが記入できるものもあるが、ヒントを隠したい場合は、ヒントをぬりつぶさなければならなかった。
【先行技術文献】
【特許文献】
【０００３】
【特許文献１】特開２０１５−１５７３公報
【発明の概要】
【発明が解決しようとする課題】
【０００４】  これまでは、次のような欠点があった。
（イ）単語カードにはヒントを記入する欄が無く、効率良く記憶を定着させることができなかった。
（ロ）単語帳にヒントを記入した場合、毎回、ヒントに頼ってしまう。また、ヒントを隠す手間が発生していた。
（ハ）特開２０１５−１５７３公報の単語カードの場合、一つの単語に対して、カードが２枚必要であった。また、ヒントのなるカードを外して使用することができなかった。
本発明は、以上のような欠点をなくすためになされたものである。
【課題を解決するための手段】
【０００５】  単語カード（もしくは単語帳）の一枚（一ページ）にヒント記入欄を設ける。問題記入欄とヒント記入欄の間に切り取り線を設ける。
本発明は、以上の構成よりなるヒント欄つき単語カード・単語帳である。
【発明の効果】
【０００６】（イ）単語カード（もしくは単語帳）の一枚（一ページ）にヒント記入欄があるので、ヒントを頼りに答えを考えることができる。
（ロ）ヒントを元に答え（英単語の意味など）を記憶できた自信がある場合、記入欄を切り離すことができるので、記憶の定着度合いを確認できる。
【図面の簡単な説明】
【０００７】
【図１】  本発明の単語カードの斜視図である。
【図２】  本発明の単語帳の斜視図である。
【図３】  本発明の単語カードの表面の記入例である。
【発明を実施するための形態】
【０００８】  単語カードの表面に問題記入欄（１）とヒント記入欄（２）を設ける。問題記入欄（１）とヒント記入欄（２）の間に、切り取り線（３）を引く。
単語帳一ページの表面に問題記入欄（４）とヒント記入欄（５）を設ける。問題記入欄（４）とヒント記入欄（５）の間に、切り取り線（６）を入れる。
本発明は、以上のような構造である。
この単語カードを使用するときは、問題記入欄（１），ヒント記入欄（２），および裏面に該当する言葉を記入する。この単語帳を使用するときは、問題記入欄（４），ヒント記入欄（５），および裏面に該当する言葉を記入する。
記憶が定着してきたら、ヒント記入欄（２）（またはヒント記入欄（５））を切り取り、記憶の定着の度合いを確認することができる。
【符号の説明】
【０００９】  １  問題記入欄
２  ヒント記入欄
３  切り取り線
４  問題記入欄
５  ヒント記入欄
６  切り取り線
【図１】
2019107869.tif 000003
【図２】
2019107869.tif 000004
【図３】
2019107869.tif 000005
(57)【要約】【課題】  現在、利用されている方眼紙は、表面に方眼が印刷されただけのものであり、ノート等に添付する場合、糊、粘着テープ又はクリップ等を用いる必要があり、その煩わしさのため利用が妨げられている。【解決手段】  裏面の全面または周辺部の方眼が印刷されていない部分を除く全面に粘着剤等を施し、粘着剤等の面を剥離紙で保護した方眼紙とする。【選択図】図２
2019107870.tif 000002
【特許請求の範囲】
【請求項１】
表面に方眼が印刷された方眼紙において、裏面全面又は方眼が印刷されていない周辺部を除く裏面全面に粘着剤又は接着剤を積層したことを特徴とする方眼紙。
【請求項２】
裏面の粘着剤又は接着剤の層を剥離紙で保護したことを特徴とする請求項１の方眼紙。
【発明の詳細な説明】
【技術分野】
【０００１】本発明は図・グラフ等の作成に用いられる方眼紙に関するものである。
【背景技術】
【０００２】  従来の方眼紙は、用紙に方眼が印刷された紙片、またはそれを束ねた冊子状のものである。
【発明の概要】
【発明が解決しようとする課題】
【０００３】  方眼紙に図やグラフを描き、それをノート等に添付するとき、裏面に糊を塗布するか粘着テープを用いる必要があり、手間のかかる作業を強いられている。【０００４】  本発明は、従来の方眼紙が有する上記の問題を解決して、生徒児童の学習効率を上げようとするものである。
【課題を解決するための手段】
【０００５】  上記の目的を達成するため、表面に方眼が印刷された方眼紙において、裏面全面又は方眼が印刷されていない周辺部を除く裏面全面に粘着剤又は接着剤（以下、粘着剤等）を積層する。【０００６】  また、上記方眼紙において、粘着剤等の層を剥離紙で保護したものとする。
【発明の効果】
【０００７】  以上のような構成とすることにより、糊や粘着テープを用いることなく、随意の位置に貼り付けることができる。【０００８】  また、裏面のほぼ全面に粘着剤等が施されているため、鋏等を用いて必要な大きさのみを切り離して使用し、残余の部分は次回以降の使用に供することが可能である。
【図面の簡単な説明】
【０００９】
【図１】本発明の第１実施例を示す斜視図
【００１０】
【図２】本発明の第２実施例を示す斜視図
【００１１】
【図３】図２のＡ−Ａ´方向の断面図
【発明を実施するための形態】
【００１２】  図１に示すように、方眼紙本体１の裏面に粘着剤等の層２を施す。
【００１３】  また図２に示すように、剥離層３を施した剥離紙基材４の剥離層と該粘着剤等の層２を正対せしめて密着したものとする。
【符号の説明】
【００１４】  １  方眼紙本体
２  粘着剤等の層
３  剥離層
４  剥離紙基材
【図１】
2019107870.tif 000003
【図２】
2019107870.tif 000004
【図３】
2019107870.tif 000005
(57)【要約】      （修正有）【課題】冷媒管を長々と延ばす事もなく、サッシ窓枠に室内機も室外機も同設で、２階だろうと、高層だろうと、滑べ落ちる危険もなく、設置場所にも困窮しないエアコンを提供する。【解決手段】セパレーツ型で２つに別れた機器である室内機３と室外機２とを一体とし、また、室内機３と室外機２とサッシ窓枠とを一体とする。サッシ窓枠の上端部に室内機３を設け、中央部はガラス板１を嵌め、下段腰部外側はエアコン本体の室外機２を置く。【選択図】図２
2019184214.tif 000002
【特許請求の範囲】
【請求項１】
セパレーツ型エアコンである室内機と室外機とを一体とする事を特徴とする。
【請求項２】
室内機と室外機とサッシ窓枠とを一体とする事も特徴とする。
【請求項３】
冷風は上端室内機から、温風は下端室内機へから、上下２カ所に別ける事を特徴とします。
【発明の詳細な説明】
【技術分野】
【０００１】本発明は、エアコンと窓に関するものであります。
【背景技術】
【０００２】従来から、家庭用エアコンは空調の為に室内機は部屋に設置し、その温冷気を排出する室外機は屋外に設置していました。また、部屋の採光と換気には窓が必要でありました。風雨を遮る雨戸を開ければ、ガラス窓に陽光が射し込み部屋を明るくする。そして、窓に嵌る二枚のガラス戸の片戸を開ければ、部屋に外気が吹込み、新鮮な空気を胸一杯に吸込み健やかに過ごせました。
【発明の開示】
【発明が解決しようとする課題】
【０００３】しかし、空調機器の片方である室内機は部屋へ取り付け、もう一方の室外機は屋外に据え付ける。この為、室内機と室外機の２台に別れたセパレーツ型への課題があります。２カ所へ別れる室内機と室外機、これを繋ぐ冷媒管や断熱管への課題もある。次に、２階部屋へ室内機を取り付ければ、屋外最短となる廂瓦屋根へと室外機を据える危険への課題もあります。傾き滑り易い廂瓦屋根への危険を避け、平坦で安定した地上に据える室外機となれば、冷媒管、断熱管を長く階上まで延ばす課題もあります。更に、冷温吹出し兼用の室内機は天井近く１ケ所であり、重い冷気は下がり冷房効率には優れるが、軽い温気は降下し難く暖房効率には劣る課題もあります。そして、サッシ枠の窓ですが、２枚の引違いの片戸を開ければ、屋外から酸素豊富な外気が吹込み、部屋を新鮮な空気で満たしましたが、今は、環境汚染でＣＯ２やＰＭ２，５などの有害物質の吹込みで、目、喉、皮膚などに刺激症状を起こします。これらの症状を光化学スモッグ障害と呼ばれています。主な症状は、目がチカチカする異物感、涙目、痛み症状も表れます。喉の痛み、皮膚の赤痛み。重症の場合には、手足の痛み、めまい、頭痛、発熱、呼吸が苦しいなどもあり、呼吸困難や嘔吐や意識障害などへの課題もあります。更に、黄砂、花粉障害への課題もあります。
【課題を解決するための手段】
【０００４】この課題を解決するための請求項１の発明は、セパレーツ型で２つに別れた機器である室内機と室外機とを一体とする事を特徴とする。【０００５】また、請求項２の発明は、室内機と室外機とサッシ窓枠とを一体とする事も特徴とする。サッシ窓枠の上端部に室内機を設け、中央部はガラス板を嵌め、下段腰部外側はエアコン本体の室外機を置く仕掛けであります。【０００６】また、請求項３の発明は、冷風は上端の室内機、温風は下端の室内機へと、サッシ窓枠の上下２カ所に別設する事を特徴とします。下段腰部の部屋側へ室内機のルーバーが開き、そこから温風が吹き出る仕掛けであり、エアコン本体の室外機と隣接する構造であります。隣接の本体室外機は外側覆板孔から吸排気する仕掛けであります。冷風は、両脇に有るガラス嵌め縦枠へ潜めた隙間筒から送り、上端の室内機ルーバーへと届く仕掛けであります。
【発明の効果】
【０００７】本発明により、セパレーツ型のエアコンとサッシ窓枠とが一体となった商品が誕生します。開閉不能の一枚ガラス嵌め殺し窓なら、戸車もレールも不要となります。今は、風雨に耐える強化ガラスの普及で、雨戸も要らず、ＵＶカットガラスを使えば、部屋へ紫外線の侵入も防止できます。勿論、開閉不能窓は、外気の侵入も出来ませんが、屋外である外腰板孔から室外機へと吸入します。その過程で、微塵焼却の赤外線照射、細菌死滅の紫外線照射も通過し、更に、不純物の濾過、有害物の除去で、清潔清浄空気が上端室内機ルーバーからも、切り替えれば、下段室内機ルーバーからも吹き出ます。この効果で、黄砂や花粉やＣＯ２やＰＭ２，５などの有害物の侵入を遮断し、光化学スモッグ対策となります。勿論、上端室内機ルーバーは冷風が降下し冷房効率に優れ、切り替えれば、下段室内機ルーバーから吹き上げる温風で暖房効率も高くなります。また、ノンセパレーツ＆ウインドウは、冷媒管を長々と延ばす事もなく、サッシ窓枠に室内機も室外機も同設で、２階だろうと、高層だろうと、滑べ落ちる危険もなく、設置場所にも困窮しない効果もあります。
【発明を実施するための最良の形態】
【０００８】図１は、ノンセパレーツ＆ウインドの平面図であります。サッシ窓枠上端に冷風室内機を仕込み、中央部には一枚ガラスを嵌め、下段部屋面には温風室内機を置き、その奥には、エアコン本体の室外機を据えます。言い換えれば、屋外面に室外機を据え付けた形態であります。【０００９】図４は、ハンガータイプのノンセパレーツ＆ウインドウの断面図であります。既存の外壁を剥がさず、窓枠の交換と共に、室内機と室外機とを一度に設置する事を特徴とします。尚、腰壁を跨ぎ、室外機と温風室内機を取り付ける仕掛けであります。冷風室内機は上端枠に設ける形態であります。
【産業上の利用可能性】
【００１０】本発明に係るノンセパレーツ＆ウインドウは、工業的に量産する事が可能であるため、産業上の利用可能性を有する。
【図面の簡単な説明】
【００１１】
【図１】ノンセパレーツ＆ウインドウの平面図であります。サッシ窓枠の上部へ冷風ルーバーである室内機を設け、中央部には一枚ガラスを嵌め、腰部外側には室外機を挿入し、内側には室内機の温風ルーバーを設けた図であります。
【図２】ノンセパレーツ＆ウインドウの斜視図であります。尚、部屋側の腰部覆板は故障やパーツの交換時に開閉できる扉の仕掛けであります。
【図３】ノンセパレーツ＆ウインドウを外壁側から見た斜視図であります。
【図４】ハンガータイプのノンセパレーツ＆ウインドウの断面図であります。室外機と温風室内機とが既存壁を跨ぐ形であります。
【図５】ハンガータイプのノンセパレーツ＆ウインドウを、ビルの既存窓へ交換している斜視図であります。
【符号に説明】
【００１２】１    一枚ガラス。
２    外側には室外機、部屋側には温風室内機。
３    冷風室内機。
４    室外機にエアーを吸排する孔。
５    既存壁。
Å    ノンセパレーツ＆ウインドウ。
Ｂ    ハンガータイプのノンセパレーツ＆ウインドウ。
【図１】
2019184214.tif 000003
【図２】
2019184214.tif 000004
【図３】
2019184214.tif 000005
【図４】
2019184214.tif 000006
【図５】
2019184214.tif 000007
(57)【要約】【課題】自転車【解決手段】本発明に軸芯に並列させて、回転数を求める為のスパギヤかギヤインギヤの回転増幅を接合すれば、大型出力発電機器わ省スペースで利用可能である。【選択図】なし【特許請求の範囲】
【請求項１】
回転軸を利用するすべての、軸芯に利用ができる。
【発明の詳細な説明】
【技術分野】
【０００１】
本発明は水・汚泥水・石油等の液体を、本発明のラインミキサーを自らの液体の流体が通過することで、その液体物質を利用してスーパーキャビテーション効果を発生させ、その流速を利用して発明品ミキサーとの衝撃によって超音波をも発生させ、その影響を持って全ての通過液体分子に超音波衝撃波で液体温度高めるて、冷温度帯や状温度液体から加温液体に作り出させるものである。
【数１】
2019207035.tif 000002
【表２】
2019207035.tif 000003
【表３】
2019207035.tif 000004
【表４】
2019207035.tif 000005
【背景技術】
【０００２】
従来の給湯装置や加温装置は、電気電熱により液体を関節・直接で加熱方式の電気機器によって液体温度を上昇させる方法である。又は温水ボイラー等の石油やガス火力で配管パイプを通過させて、同装置内を循環させて直接・間接的な熱エネルギーを加えて液体温度を上昇させていた。それらの従来液体の温度を上昇させるには、その方法は何れも外部からの供給熱エネルギー資源で関節・直接で加温しなければ解決出来ない方法のみであった。それはエネルギーの変換効率の理論上のみの技術装置の存在である。
【先行技術文献】
【特許文献】
【０００３】
【特許文献１】特許文献１  特許第49531777号  公報    特許文献２  特許第4911630号  公報
【非特許文献】
【０００４】
【非特許文献１】外的からの熱エネルギー供給せずに加温又は給湯させる前例がない。
【発明の概要】
【発明が解決しようとする課題】
【０００５】
本発明で、液体と本発明のミキサーの衝突によっての配管パイプ内において液体流速による発生手段について、一切の外部熱源供給を使わずに超音波を発生させるものである。  そして液体流量や液体性質に関係なく全ての流体に超音波を鵜気体分子の照射させて発熱効果を高めるものである。  又その超音波の発生場所やスペースを問わずに、既存の配管スペース内でその目的を達成する。  更にその目的においても周辺機器施設に影響与えず、液体の性質や動粘度や流量といった様々な形態の場合でも、本発明品の自由組み合わせによってその目的を実現する。  その液体の利用温度において過熱温度にも一切の外的火力エネルギーは必要としない。
【課題を解決するための手段】
【０００６】
本発明の液体加熱加温の手段は、対象となる液体を配管内に流れている流速力を利用して、本発明品のラインミキサーを通過する際に、対象液体とラインミキサーの固体との流体力学の摩擦等に発生する種々な乱流を利用して、ラインミキサーと液体の衝突や衝撃による超高速渦流現象を自らの液体によって引き起こさせ、その流体の配管内に超音波を発生させるものである。  そのラインミキサーの部材は、単品個別の部材化をする事で、組み合わせと連結量によって、液体とその用途別の全ての流体に発熱効果による加温・加熱状態に仕上げる。又ラインミキサーにより液体同士の超微細化による衝突と摩擦が生じる為に更なる加熱硬化を実現させるものである。
【発明の効果】
【０００７】
本発明の効果の絶対的な第一は、加熱や加温の必要な設備場所において火力エネルギー等や外部加熱設備を一切不要にし、対象流体自体だけでの加熱・加温した完全火力レスを実現する事である。  従来の火力エネルギーを頼みにした温水・ボイラー設備等に比べて二酸化炭素をゼロにして同等の効果を実現できる。  本発明のラインミキサーは、更に発明品を最終通過する時に超音波が対象液体を微細化状態にさせれる事でき、液体の超微細化液体粒子効果で液体物質本来のエネルギー効率が安定的に形成される効果がある。  その為に本発明品の超音波効果と知用微粒子効果は、液体自体の本来物理的能力が損なわれずに目的場所まで、能力維持が保たれる効果が容易になる。  更に液体の超微細化現象が配管内で継続される事で、液体の超微細による粒子と配管の接触面積が増える効果で配管内摩擦流速で管内の汚染付着物やその発生は際限なく取り除くために、既存使用してる全ての配管内の洗浄とその維持継続現象で、あらゆる配管設備の薬品や研磨作業を経ずに耐用年数を無害に延ばす事効果がある。  よって水道設備・下水道設備・油送配管設備の交換やスラッジ除去の整備を極力低減させる効果もがある。  又本発明品はその配管内に希望場所に随時設置するだけなので、且つ火力エネルギーを利用しないために従来のボイラー設備や燃料貯蔵庫の危険物取扱技師も不要であり、万が一の火災等の問題は一切発生しない。
【発明を実施するための形態】
【０００８】
本発明の実施形態は、図3の配管明記を対象液体の既存又はタンク容器の吐出口に接続させる。同図の加熱・加温液体吐出口の配管を前記の液体タンク若しくは貯蔵タンク給水口等に接続する、循環設備配管の概略図である。図1と図2はミキサーチップの部材である。図3の本発明の装置の概略図と超音波が発生する発明部品の配置であり、そしてその発明部材は超音波派生ミキサー400の部分に対象液体別に数量を配合して据え付ける事で可能になる。その配合は、対象液体の動粘度・流体の別の図3の液体加速ポンプによって発生する配管内の超音波を計測値を取得して配置と個数を定めて定量で、常温液体の温度計測して実施する事で可能になる。図4のデータは液体温度上昇分布を、循環経過を液体別に軽油とA重油と水道水で実施計測データである。
【実施例】
【０００９】
石油２は、この石油の微細化工程Ａで処理されることによって、石油２の分子が分断されて、分断された石油の分子２ａを含んだ石油（ナノ化された石油）３となる。
このように石油２が微細化工程Ａで処理されると、石油２の分子は、その分子内における炭素同士の結合の一部（１箇所又は複数箇所）が分断されて、複数の部位に分かれるものと考えられる。従って、分断された石油の分子２ａに含まれる炭素数は、分断前の石油２の分子に含まれる炭素数よりも小となっているものと考えられる。
石油２としては、炭化水素を主成分とした炭素系燃料であればよく、種々のものを用いることができる。例えば、炭素数１０〜２０程度の軽油や、重油、炭素数４〜１０程度のガソリン等を用いてもよい。また、種々の分子構造とされたものを用いることができ、例えば、パラフィン系、オレフィン系、ナフテン系、芳香族系等のものを用いることができる。なお、用いる石油２としては、炭素系燃料９の高い収率をもたらす点で、パラフィン系のものが望ましい。
【産業上の利用可能性】
【００１０】
発電機器のトルクでの大型発電において、短軸回転ギヤと併用すれは、高トルクで高回転が少ないエネルギーで可能になる。
【符号の説明】
【００１１】
r1は固定軸芯の直系、A1は第一固定軸、A2は第二固定軸、A3は第三の固定軸、B1は第一の内歯車、B2は第二の内歯車、B3は第三の内歯車
(57)【要約】【課題】不燃材料であるバサルト繊維の織編布表面の毛羽立ちとささくれの発生を防止するとともに防炎性・防火性・耐火性と耐熱性と防水性・耐水性及び柔軟性と屈曲対応性を併せ持つバサルト織編布積層体を提供することを課題とする。【解決手段】リン系難燃剤を添加したアクリル樹脂塗料で被覆して積層体を形成する。【特許請求の範囲】
【請求項１】
難燃剤を含むアクリル樹脂塗料で被覆し積層されたバサルト繊維シート。
【請求項２】
表面の毛羽立ちやささくれを防止したバサルト繊維シート
【請求項３】
防炎性・防火性・耐火性・耐熱性と防水性及び柔軟性と屈曲対応性を併せ持つバサルトシート
【請求項４】
上記に記載のバサルト繊維シートの製造方法。
【発明の詳細な説明】
【技術分野】
【０００１】本発明は、不燃材料であるバサルト繊維の織編布などの表面の毛羽立ちやささくれを防止するとともに防炎性・防火性・耐火性と耐熱性と防水性及び柔軟性と屈曲対応性を併せもつバサルト織編布などの積層体を提供することを課題とする。
【背景技術】
【０００２】バサルトは玄武岩を溶融紡糸した無機繊維であり軽量で錆びずに不燃で環境に優しく、引張強度・耐熱性・耐蝕性・絶縁性に優れているとともに加工性やコスト性にも優れた材料である。
このため、短繊維のものはコンクリート構造物の強化材、長繊維のものはロープや織物、不織布、マット、シートなどとして多くの分野で活用されている。【０００３】本発明におけるバサルト繊維の対象はシート状又はマット状のバサルト繊維であれば、織編布、不織布、メッシュ、フェルト、マットなどの仕様であれば特に限定はない。【０００４】バサルト織編布などをシートとして活用した場合、シートの表面の毛羽立ちやささくれが発生するとともに屈曲対応性が弱いために折りたたんだ場合にその場所に穴が開いてしまうという欠点がある。【０００５】また、バサルトシートなどはその厚みにもよるが、薄いシートはロール状にしにくいため運搬性や保管性に欠けるため、使用現場での使い勝手が悪い。
【先行技術文献】
【０００６】
【特許文献】
【特許文献】特開２０１６−１８８１５７
【特許文献】特開２０１５−５５０４４
【特許文献】実願２０１６−４９７０
【特許文献】特開平１０−１００２９５
【発明の概要】
【発明が解決しようとする課題】
【０００７】本発明は、バサルト繊維シートの不燃で軽量、加工性やコスト性などに優れているという本来の長所を生かしながら、その欠点である毛羽立ちやささくれの発生を防止するとともに運搬性や保管性に欠ける点も改善することを課題とする。
【課題を解決するための手段】
【０００８】前述の課題を解決するため、本発明はバサルト繊維シートの表面に毛羽立ちやささくれの発生を防止し、屈曲対応性と織編布の隙間からの通水に対する防水性を高めるためにアクリル系樹脂塗料で塗装被覆して積層体を形成する。【０００９】バサルト繊維シートに塗装被覆する上記アクリル樹脂塗料は防炎性・防火性・耐火性を付加するリン系難燃剤を添加した塗料を使用する。【００１０】バサルト繊維シートに塗装被覆する塗料は、防炎性・防火性・耐火性・耐熱性を与えるリン系の熱発泡型難燃剤を添加した水性アクリル樹脂塗料（製品名：株式会社エフテック社製ＪＥＲＩＣＯ−ＦＰ）とし、ＪＥＲＩＣＯ−ＦＰで塗装被覆した後にさらに難燃性を与えるリン系難燃剤を添加した防水・耐水アクリル樹脂塗料（製品名：株式会社エフテック社製ＪＥＲＩＣＯ−ＦＰ専用防水トップコート）で塗装被覆して積層体を形成したほうが、防炎性・防火性・耐火性・耐熱性と防水性・耐水性はさらに高いものになる。
【発明の効果】
【００１１】本発明によるバサルト繊維シートは不燃で軽量、加工性やコスト性に優れてあるというバサルト本来の長所を生かして優れた防炎性・防火性・耐火性・耐熱性と防水性・耐水性を持ち、その欠点である毛羽立ちやささくれの発生を防止し、屈曲対応性と防水性の不足を補うことができるバサルト繊維シートである。【００１２】本発明によるバサルト繊維シートは容易にロール状にも折りたたんだ状態にも出来るため、運搬性や保管性に優れたものになる。【００１３】本発明によるバサルト繊維シートは屋内外での防炎・防耐火シート、防炎・防耐火カーテン、防炎・防耐火テントなどや高温環境下作業が続く例えば溶接・溶断作業や災害発生時の現場作業などにて使用できる。【００１４】実施例参考資料は公益財団法人日本防炎協会にて行なわれた防炎性能試験の結果通知書であり、本来の（未加工の）バサルトシートと本発明により製作したバサルトシートの比較例である。
【実施例】▲１▼本来（未加工）のバサルトシートの試験結果表
消防法施行規則に沿った試験方法で、温水３０分処理後にメッケルバーナー法による燃焼試験の結果、残炎時間・残じん時間・炭化面積ともゼロでカーテン等・布製ブラインド・工事用シートで適合（合格）であった。
2019001140.tif 000002
▲２▼両面防耐火塗料と難燃防水塗料を塗付して積層加工したバサルトシート
上記▲１▼と同じ方法で燃焼試験を行なった後に着炎後６秒加熱を行った結果、残炎時間・残じん時間・炭化面積のいずれも適合基準数値以下でカーテン、布製ブラインド、工事用シートで適合（合格）であった。
2019001140.tif 000003
(57)【要約】      （修正有）【課題】額縁に複数枚の絵画をボードに描き内挿する、ボードを適宜交換し変化をもたらせて鑑賞する。【解決手段】複数枚の絵画用ボードに描かれた絵画を額縁に内挿し第一の絵画用ボード１、第二の絵画用ボード２、第三の絵画用ボード３、を複数のボードと重ね合わせて形成し、前記ボードを前記額縁６に挿入し、変化する絵画とした。【選択図】図１
2019001142.tif 000002
【特許請求の範囲】
【請求項１】
複数枚の絵画を額縁に内挿した絵画であって、絵画用第一ボードと絵画用第二ボードと絵画用第三ボードとを合わせ絵画用ボード体を形成し、前記絵画用ボード体を前記額縁に内挿し、鑑賞する変化をもたらせて鑑賞する絵画。
【請求項２】
前記絵画用第一ボード前記絵画用第二ボード前記絵画用第三ボードは透明部材で形成されており、前記それぞれのボードに描かれた絵が一部透過されて重なって見えることを特徴とする請求項１記載の変化をもたらせて鑑賞する絵画。
【請求項３】
前記内挿された絵画は額縁の背景と一体化を成した絵画となることを特徴とした請求項１〜２記載の変化をもたらせて鑑賞する絵画。
【発明の詳細な説明】
【技術分野】
【０００１】  本発明は、複数枚のボードに描かれた絵を額縁の前面より鑑賞すると各絵画の一部が透過されて重なって見えることを特徴とした変化する絵画に関する。
【背景技術】
【０００２】  従来の透明ボードに描かれた絵画では以下の特許文献の如く避難誘導表示機能を有する絵画としたものがある。
そしてまたネオンボックスのように絵画を背面より光を当てＰＲボックスのようなものもある。
【先行技術文献】
【特許文献】
【０００３】
【特許文献１】特開２００５−１６５０２０  特開２０１２−０２２２２０  特開２０１０−２００９４１
【発明の概要】
【発明が解決しようとする課題】
【０００４】  一般絵画は一枚のボード（キャンバス）上にすべての絵画が描かれているために何時までも同じ変化のない絵画の状態を鑑賞しなければならないという問題点があった。【０００５】本発明はこのような問題点を解決するようにした。つまり、絵画を額縁に挿入した後においても、額縁内には複数枚の絵画が重ね合わせた状態で内挿されているので、その絵画ボードを適宣交換し変化をもたらせて鑑賞する絵画とした。
【課題を解決するための手段】
【０００６】  そして、本発明は上記目的を達成するために複数枚の絵画用ボードに描かれた絵画を額縁に内挿し第一の絵画用ボード第二の絵画用ボード第三の絵画用ボードを複数のボードと重ね合わせて形成し、前記ボードを前記額縁に挿入し、変化する絵画とした。【０００７】  第一の絵画用ボード第二の絵画用ボード第三の絵画用ボードは複数枚のボードから成り立ちボードは透明部材で形成し、それぞれの絵画用ボードに描かれた絵が一部透過されて重なって見えることを特徴とした変化する絵画。【０００８】  絵画用第一のボード絵画用第二のボード絵画用第三の各ボードを交換することにより絵画の変化をもたらす事が可能な絵画である。【０００９】  前記複数枚の絵画は各ボードの最背後のボードまた背面押さえ板に貼り絵また金箔紙を貼り絵画の一部とすることも可能である、それぞれのボードに描かれた絵が透過されて重なって見えることを特徴とする変化する絵画。
【発明の効果】
【０００１０】  本発明の絵画は描かれている複数枚のボードは前記透明部材で形成されており、それぞれのボードに描かれた絵が一部透過されて重なって鑑賞出来、各ボードを交換することにより変化させる絵画を楽しむことが可能な絵画。
【図面の簡単な説明】
【００１１】
【図１】  図１は変化をもたらせて鑑賞可能な絵画の構成図。
【図２】  図２は従来の絵画表現を表した図。
【００１２】  図２は一枚のボードに全ての絵画が描かれている。
【発明を実施するための形態】
【００１３】  以下、本発明の実施の形態を図１に基づいて説明する。
【００１４】  図においては、１は第一のボード、２は第二のボード、３は第三のボード、４はボード保護カバー及び複数枚のボード体及び背面押さえ板、５は絵画のボード保護カバー、６は１３の額縁内の内挿物を収納する額縁、７は前記１３の額縁内の内挿物を内挿するボード止めクリップ、８は絵画用第一ボードに描いた絵画、９は絵画用第二ボードに描いた絵画、１０は絵画用第三ボードに描いた絵画、１１は前記透明ボードの透明体を表現し、１２は図２の１枚の絵画ボードに全ての絵画を描いたボードを表した図、１３は絵画用ボード体を表した構成図である。
【００１５】  前記第一ボード１に第一ボード絵画８の絵画を描き、第二ボード２に第二ボード９の絵画を描き、第三ボード３に第三ボード１０の絵画を描き、これらのボードを順次重ね合わせ形成したボード体は透視させるために透明な素材で形成してある。
【００１６】絵画用第一ボード１、絵画用第二ボード２、絵画用第三ボード３からなる複数枚のボード体の絵画は各ボードの最背後のボードに金箔紙、貼り絵、背面押さえ板４に金箔紙、貼り絵を貼り絵画の一部にすることも可能なので描かれた絵が透過され重なって見えることを特徴とする、つまり、額縁に内挿された絵画ボードを適宣交換し変化をもたらせて鑑賞する絵画とした。
【００１７】  前記複数枚の絵画は前記ボード体及び背面押さえ板４、ボード保護カバー５との間隔は密着させても良いし間隔を開けることも良い。
【００１８】  前記１３の額縁内の内挿物は額縁６内にてボード止めクリップ７にて係止し内挿される。
【００１９】  前記絵画ボード保護カバー５は前記絵画が受ける日焼け等における劣化を防止するために紫外線遮断防止の紫外線遮断剤や紫外線遮断加工材や紫外線遮断フイルム等を使用しても良い。
【符号の説明】
【００２０】  １    絵画用第一ボード
２    絵画用第二ボード
３    絵画用第三ボード
４    背面押さえ板
５    ボード保護カバー
６    額縁
７    ボード止めクリップ
８    第一ボードの絵画
９    第二ボードの絵画
１０    第三ボードの絵画
１１    透明体
１２    １枚のボードに描かれた絵画
１３    絵画用ボード体
【図１】
2019001142.tif 000003
【図２】
2019001142.tif 000004
(57)【要約】【課題】ハンバーガーの包装紙に、ソースやタレを集めることのできるディップ箱を取り付けた包装紙を提供する。【解決手段】現在は、ハンバーガーを単に紙で包んでいるだけの状態で食べているが、本発明は、包装容器部の開口部の反対側、即ち底面部にディップ箱部を設置することで、ハンバーガーから垂れ落ちるソースやタレを溜めることができる。ディップ箱部と包装容器部の間には、切り取り線加工がされており、ソースやタレが溜まった段階で、切り離すことができる包装紙である。【選択図】図１
2019001540.tif 000002
【特許請求の範囲】
【請求項１】
本発明は、ハンバーガーショップ等でお客様に出される時にハンバーガーをくるんでいる包み紙において、単なる平面的な紙ではなくハンバーガーをくるんだ時の状態を固定型として容器状に形成した包装容器になっており、包装容器の開口部の反対側、即ち底部側にディップ箱部を設けており、包装容器内側から垂れ落ちてくるソースやタレを受け溜めるようになっていて、ディップ箱部と包装容器の境目にミシン目の切り取り線がついており、切り離し出来るようになっているので、ハンバーガーを食べ終わった後、切り離し、そのソースやタレをポテト等につけて食べることが出来るようにしてあり、ディップ箱部の大きさは、縦・横・奥行き数センチ程の小さい容器であることを特徴とするディップ箱付きハンバーガー包装紙である。
【発明の詳細な説明】
【技術分野】
【０００１】
本発明は、ハンバーガーを包むと共に、垂れ落ちるソースやタレを溜め置くディップ機能を併せ持った箱型包装紙に関するものである。
【背景技術】
【０００２】
ハンバーガーを包むだけの包み紙は一般的に広く使われている。
【発明の概要】
【発明が解決しようとする課題】
【０００３】
その為に次のような課題があった。
タレやソースが、包装紙にこぼれても、それを溜めて切り離すことが出来なかった。
【課題を解決するための手段】
【０００４】
本発明は、ハンバーガーショップ等でお客様に出される時にハンバーガーをくるんでいる包み紙において、単なる平面的な紙ではなくハンバーガーをくるんだ時の状態を固定型として容器状に形成した包装容器になっており、包装容器の開口部の反対側、即ち底部側にディップ箱を設けており、包装容器内面から垂れ落ちてくるソースやタレを受け溜めるようになっている。
ディップ箱と包装容器の境目にミシン目の切り取り線がついており、切り離し出来るようになっているので、ハンバーガーを食べ終わった後、切り離し、そのソースやタレをポテト等につけて食べることが出来る。
ディップ箱の大きさは、縦・横・奥行き数センチ程の小さい容器である。
【発明の効果】
【０００５】
ハンバーガーを食べ終わった後、溜まったソースやのタレをポテトなどにつけて食べ
たりすることができる。
【図面の簡単な説明】
【０００６】
【図１】本発明の斜視図
【図２】本発明の一部であるディップ箱部を切り離した状態の斜視図
【図３】本発明の収納時の折り畳んだ状態を示す斜視図
【発明を実施するための形態】
【０００７】
以下本発明の実施の形態について説明する
(イ)現在は、ハンバーガー(４)を単に紙で包んでいるだけの状態で食べているが、本発明は、包装容器部(１)の開口部(２)の反対側、即  ち底面にディップ箱部(３)を設置することで、ハンバーガー(４)から垂れ落ちるソースやタレ(５)を溜めることができる。
(ロ)ディップ箱部(３)と包装容器部(１)の間には、切り取り線(６)加工がされており、ソースやタレ(５)が溜まった段階で、切り離すことがで  きる。
本発明は以上のような構成である。
【実施例】
【０００８】
本発明を使用するときは、包装容器部(１)にハンバーガー(４)を包み、垂れたソースやタレ(５)をディップ箱部(３)で受け止め、ソースやタレ(５)が溜まった段階で、切り取り線(６)より切り離し、ポテトなどをディップして使用できる。
【符号の説明】
【０００９】
１  包装容器部
２  開口部
３  ディップ箱部
４  ハンバーガー
５  ソースやタレ
６  切り取り線
【図１】
2019001540.tif 000003
【図２】
2019001540.tif 000004
【図３】
2019001540.tif 000005
(57)【要約】      （修正有）【課題】従来のスキッドステアローダは油圧ドライブで駆動しているため、単一ギアリングを持つギア列を構成しており、重く、かさばり、メンテナンスも集約的であった。【解決手段】無限ギア部材（例えば、ベルト、チェーン）（５）を装備することで、トルクを電気モータ（２）から制御される車両の一方の側の各ホイールに伝達できるスキッドステアローダを提供する。各ホイールは、無限ギア部材（５）によって駆動される遊星歯車（１）を装備し、電気モータ（２）は無限ギア部材（５）を直接駆動する。【選択図】図２
2019001453.tif 000002
【特許請求の範囲】
【請求項１】
特に、電池（４）、周波数変換器（３）、電気ジョイスティック（６）、及び／または電気油圧スイッチギア（３ａ）からなる制御ユニット（９）によって制御されるスキッドステアローダ用の低入力トルクを有する全ホイールドライブ配置構成であって、制御される車両の両側は少なくとも２つのホイールからなり、各ホイールは遊星歯車（１）に接続されており、前記遊星歯車（１）は、無限ギア部材（５）によって、前記制御される車両の一方の側に連結され、それにより、前記無限ギア部材は単一電気モータ（２）に接続されており、それにより、前記電気モータは前記電池（４）に接続されることを特徴とする、低入力トルクを有する全ホイールドライブ配置構成。
【請求項２】
少なくとも１つのホイールは、両側に電磁ブレーキ（７）を装備していることを特徴とする、請求項１に記載の低入力トルクを有する全ホイールドライブ配置構成。
【請求項３】
前記無限ギア部材（５）は、ベルトタイプかまたはチェーンタイプであることを特徴とする、請求項１及び／または２に記載の低入力トルクを有する全ホイールドライブ配置構成。
【発明の詳細な説明】
【技術分野】
【０００１】
本発明は、特にスキッドステアローダ用の全ホイールドライブ配置構成設計概念に関する。
【背景技術】
【０００２】
現在、油圧ドライブが、スキッドステアローダを駆動するために使用されている。システムは、エンジンからのトルクが、チェーンギアまたはギア列を通して前及び後ホイールに共に直接伝達されるように設計されている。換言すれば、単一ギアリングが、制御されるホイールの一方の側の各ホイールを駆動する。当然、こうしたギアリングは、ギア列の場合、非常に重くかつかさばり、いずれの場合も、これらのギアリングは、最大トルクをホイールに伝達するため、メンテナンス集約的であることになる。
【発明の概要】
【発明が解決しようとする課題】
【０００３】
本発明は、述べた欠点をなくす設計概念を述べる。
【課題を解決するための手段】
【０００４】
本発明の原理は、無限ギア部材（例えば、ベルト、チェーン）が、トルクを電気モータから制御される車両の一方の側の各ホイールに伝達し、それにより、遊星歯車が特定のホイールを直接駆動することにある。
【０００５】
各ホイールは、それぞれの無限ギア部材駆動式遊星歯車を装備している。電気モータは無限ギア部材を直接駆動する。無限ギア部材は、低トルクを各ホイールの遊星歯車に伝達する。制御される車両は、両側に電気モータ及び無限ギア部材を必要とする。電気モータドライブが使用されている場合、周波数変換器、電気ジョイスティック、及び電池が回路に含まれている。少なくとも１つのホイールは、両側に電磁ブレーキを装備している。制御ユニットはドライブを制御する。
【図面の簡単な説明】
【０００６】
【図１】特にスキッドステアローダ用の低入力トルクを有する全ホイールドライブ配置構成に関する軸測図である。
【図２】制御される車両の両側の電気モータ及び無限ギア部材からなる全ホイールドライブ配置構成を示す図である。
【発明を実施するための形態】
【０００７】
無限ギア部材（例えば、ベルト、チェーン）を装備するギア５は、トルクを電気モータ２から制御される車両の一方の側の各ホイールに伝達し、それにより、遊星歯車１は特定のホイールを直接駆動する。
【０００８】
各ホイールは、無限ギア部材５によって駆動される自分自身の遊星歯車１を装備している。電気モータ２は、無限ギア部材５を直接駆動する。無限ギア部材５は、低トルクを各ホイールの遊星歯車１に伝達する。制御される車両は、両側に電気モータ２及び無限ギア部材５を必要とする。電気モータドライブ２が使用されている場合、周波数変換器３、電気ジョイスティック６、及び電池４は回路に含まれている。少なくとも１つのホイールは、両側に電磁ブレーキ７を装備している。制御ユニット９はドライブを制御する。
【０００９】
電池４、周波数変換器３、電気ジョイスティック６、及び／または電気油圧スイッチギア３ａからなる制御ユニット９は、特にスキッドステアローダ用の全ホイールドライブ配置構成を制御し、それにより、制御される車両の両側は、少なくとも２つのホイールからなり、各ホイールは遊星歯車１に接続されており、遊星歯車１は、無限ギア部材５によって、制御される車両の一方の側に連結され、それにより、無限ギア部材は、電池４に接続される単一電気モータ２に接続されている。電気モータドライブが使用されている場合、少なくとも１つのホイールは、両側に電磁ブレーキ７を装備する。無限ギア部材５は、ベルトタイプかまたはチェーンタイプである。
【産業上の利用可能性】
【００１０】
低入力トルクを有する全ホイールドライブ配置構成は、特に、スキッドステアローダにおいてまたは他の構造的に同様の機械において使用され得る。    
【図１】
2019001453.tif 000003
【図２】
2019001453.tif 000004
【外国語明細書】
2019001453000001.pdf
(57)【要約】【課題】自動車ドアの前にあるミラーを見て運転すると、映らなかった死角部のために、交通事故が発生することが多い。又、運転者は、前方だけでなく、左右後部にも注意を払わなければならず、見落とす可能性がある。【解決手段】外部のミラーを左右見ることに気を配らなくても、車内ナビゲーションで道順を確認する時に同時に常時外部左右状況が目に入るならば、事故は起きにくいと思われる。そこで、自動車ドア前の左右にあるミラー付近に小カメラをつけ、自動車車内内部ナビの両わきにカメラで映った状況映像を常時うつすことで、前方だけを運転者が見ていても安全に運転ができるようにしたものである。【選択図】図２
2019001444.tif 000002
【特許請求の範囲】
（１）外部カメラは、外部ミラー付近についている、小カメラである。
このカメラは、外部ミラーを失くしても代わりになりうる物である。
カメラの大きさは、直径１〜３ｃｍ程度（数ｃｍ程度）
（２）自動車内部ナビに映る映像は、運転中のナビゲーションを侵害しない。
ナビの両わきにあり、映像の大きさは、ナビ、左右カメラ映像という３つの映像を等分割したそれ以下ということである。
（３）カメラ映像は、ナビケーションに搭載されるもの。
【発明の詳細な説明】
【発明の概要】
【発明が解決しようとする課題】自動車のドアの前にある、ミラーでは、運転中外部左右状況が死角になることが多い。
それにより、交通事故が発生しやすい原因となっている。
【課題を解決するための手段】自動車ドア前の左右にあるミラー付近に小カメラをつけ、自動車車内内部ナビの両わきにカメラで映った状況映像を常時うつすことにより、左右をとくに注意を払わなくても、安全に運転することができる。
【発明の効果】外部状況が把握しやすいため、交通事故がおきにくい。
外部がよくみえるため、人をひいてしまったり、ひきずることがなくなる。
【選択図】
【図１】
【図２】
【図１】
2019001444.tif 000003
【図２】
2019001444.tif 000004
【手続補正書】
【提出日】平成29年10月17日(2017.10.17)
【手続補正２】
【補正対象書類名】特許請求の範囲
【補正対象項目名】全文
【補正方法】変更
【補正の内容】
【特許請求の範囲】
【請求項１】
自動車のミラー外部についている小カメラである。このカメラは、外部ミラーを外しても代用になる物である。小カメラの大きさは１〜３ｃｍ程度である。（数ｃｍ程度）
【請求項２】
自動車内部のナビゲーションシステムの左右に自動車外部の小カメラからとった映像を表示する物であり、映像の大きさは、ナビ、左右のカメラ映像という３つの映像を等分割した、それ以下であるもの。映像の色は、白黒ではなく自然のそのままである。
【請求項３】
このカメラの映像は、車内ナビゲーションに搭載されるものである。
【手続補正３】
【補正対象書類名】明細書
【補正対象項目名】全文
【補正方法】変更
【補正の内容】
【発明の詳細な説明】
【発明の概要】
【発明が解決しようとする課題】自動車のドアの前にあるミラーでは、運転中外部左右状況が死角になることが多い。
それにより、交通事故が発生しやすい原因となっている。
【課題を解決するための手段】自動車ドア前の左右にあるミラー付近に小カメラをつけ、自動車車内内部ナビの両わきにカメラで映った状況映像を常時うつすことにより、左右をとくに注意を払わなくても、安全に運転することができる。
【発明の効果】外部状況が把握しやすいため、交通事故がおきにくい。
外部がよくみえるため、人をひいてしまったり、ひきずってしまうことがなくなる。
【図面の簡単な説明】
【図１】車を上から見た場合の外部カメラの位置を表示した平面図
【図２】ナビゲーション画面で左右に車外部ミラー付近状況を映す場所を表示した平面図
(57)【要約】      （修正有）【課題】テープカッターにおいてテープの巻き戻りを防止する。【解決手段】テープカッターのテープの巻き戻りを防止する構造でテープカッターにテープの粘着面を上にして反転防止ステー１とロックカバー５の間にテープを通しテープ４を引き出しカッター刃３でカットするとロックカバー５が上にあがり反転防止ステーの間でテープは圧着され固定しテープの巻き戻りを防止する【選択図】図２
2019001654.tif 000002
【特許請求の範囲】
【請求項１】
テープカッターを使用するにあたりテープの巻き戻りを防止するため  テープを反転防止ステーとロックカバーで挟みテープを固定ロックする
ロックカバーはスプリングまたは弾力性の物質で上下運動しテープ自体を固定する構造であること
【発明の詳細な説明】
【技術分野】
【０００１】荷物の梱包作業  スーパーなどレジ清算カウンタでのお買い上げ印のテープ貼付などに使用する
【背景技術】
【０００２】テープカッターのテープが巻き戻り  テープ本体に付着するとテープを剥がすことが困難になり時間を要する
最近はテープの厚みが極薄のタイプがスーパーなどで使用されテープをカットした後  テープ先端を折り曲げテープがテープ本体に付着しても剥がしやすくして使用している
某メーカーはテープの巻き戻りはテープドラム本体が空転することが原因と考えテープドラム本体をロックする特許を取得している  本発明はテープドラム本体より引き出したテープをロックしてテープの巻き戻りを防止するテープロック式である
【課題を解決するための手段】
【課題解決１】
テープをカットした後テープは反転防止ステーの下にあるがテープはフリーでありテープドラム本体が空転するとテープは巻き戻りテープ本体に付着する  本発明は反転防止ステー下にあるロックカバーとで挟みテープをロックする  ロックカバー内部両端にはスプリグがあり上下に動く  テープドラム本体をテープカッターに装着するときは粘着面をして反転防止ステー下部に付着する
反転防止ステーとロックカバーに挟まれたテープは引き出すときは反転防止ステー下部より離れ  ロックカバーは下にさがりテープロックが解除される  テープカット後はロックカバーがスプリングの力で上にあがり反転防止ステーとの間にテープを挟みテープをロックする
【先行技術文献】
【特許文献】
【０００３】テープドラムをロックする
【特許文献１】
【０００４】
【発明の概要】
【発明が解決しようとする課題】
【０００５】従来のテープカッターはテープの巻き戻りを防止するためにテープをカットした後テープが反転しないようにテープ上部に反転防止ステーがテープカッター本体両端にあるが  反転は防止できてもテープはフリーでありテープドラム本体が空転するとテープは巻き戻りテープドラムに付着する  そのためテープをカットした後テープをロックし固定する必要がある
【課題を解決するための手段】テープカッターにテープの粘着面を上に［図２］▲１▼反転防止ステーと［図２］▲５▼ロックカバーの間に通し  引き出してカットする  カットした後テープは［図２］▲５▼ロックカバーがスプリングの力で上にあがり［図２］▲１▼反転防止ステー下部との間にテープを挟みテープをロックして巻き戻りを防止する
【発明の効果】引き出したテープをロック固定することで  テープの巻き戻りを完全に防止できる  巻き戻りテープ本体に張り付いたテープを剥がすのはテープが縦に裂けたりして均等になるのに数１０ｃｍ剥がすことになり資源の無駄を防げ  またこれに要する時間を無くすことができる
【図面の簡単な説明】
【図１】▲１▼テープカッター本体左面  ▲２▼テープカッター本体右面
【図２】▲１▼反転防止ステー  テープの反転を防ぐ  ▲２▼スプリング  ロックカバーを上下させるバネ  ▲３▼カッター刃  テープをカットする  ▲４▼テープ  粘着面を上にセットする  ▲５▼ロックカバー  内部にスプリングがあり上下する  ▲６▼ロックカバー受  ロックカバーの脱落を防ぐ  ▲７▼ビス  ロックカバーを止める
【発明を実施するための形態】
テープカッターにテープの粘着面が上になるようにセットする
［図２］▲１▼反転防止ステーと［図２］▲５▼ロックカバーの間にテープを通し引き出し［図２］▲３▼カッター刃でカットする
［図２］▲５▼ロックカバー内部にはスプリングが両端に各１個ありテープを引き出すときは下にさがり  テープをカットしたらスプリングの反動で上にあがる  このときテープの粘着面は［図２］▲１▼反転防止ステー下部に粘着しテープをロックして固定する
【符号の説明】［図１］
▲１▼テープカッター本体左面である
▲２▼テープカッター本体右面である
［図２］
▲１▼反転防止ステー  テープの反転を防止する
▲２▼スプリング      ロックカバーを上下させるバネ
▲３▼カッター刃      テープをカットする
▲４▼テープ          粘着面を上にセットする
▲５▼ロックカバー    上下に作動しテープを反転防止
ステーとの間に圧着する
▲６▼ロックカバー受  ロックカバーの脱落防止
▲７▼ビス            ロックカバーを固定する
【図１】
2019001654.tif 000003
【図２】
2019001654.tif 000004